(57)【要約】【課題】簡便な操作で、スタジオの照明を適正に設定して良好な画像の取得が可能なシステムを合理的に構成する。【解決手段】被写体の位置に立体モデルＡを配置し、この立体モデルＡを照明器２で照明した状態でデジタルカメラ３で撮影し、この撮影された画像データをコンピュータ４に伝送し、立体モデルＡの外面に形成した参照領域の濃度データを取得し、この濃度データから照明の適正・不適正を判定する。不適正である場合には、ディスプレイ５に不適正な領域と、適正にするためのメッセージを表示する。適正である場合には、自動補正のための補正パラメータを保存する。【選択図】図１
2008092354.tif 000002
【特許請求の範囲】
【請求項１】
照明された被写体をデジタルカメラで撮影し、このデジタルカメラで撮影された画像データから適正な照明環境を設定するための設定情報を得る画像処理部を備えているスタジオ撮影システムであって、
前記画像処理部は、外面の複数箇所にグレーの参照領域が形成された立体モデルを前記被写体が配置されるべき位置に設置して前記デジタルカメラで撮影した画像データを取得する画像データ取得手段と、
この画像データ取得手段で取得した画像データから前記参照領域の濃度データを抽出する抽出処理手段と、
この抽出処理手段によって抽出した前記参照領域の濃度データが設定範囲に含まれる場合に適正と判定し、これ以外を不適正と判定する判定処理手段と、
この判定処理手段で適正と判定した場合に、前記参照領域の濃度データに基づいて前記画像データの自動補正のための補正パラメータを求めて保存する自動補正処理手段と、
前記判定処理手段で不適正と判定した場合に、不適正であることを報知する報知処理手段とを備えているスタジオ撮影システム。
【請求項２】
前記自動補正処理手段が、前記抽出処理手段によって抽出した複数の参照領域のグレーの濃度に基づいて、濃度補正とコントラスト補正との少なくとも一方の補正を行うための前記補正パラメータを保存し、この補正パラメータが保存された後に、前記デジタルカメラで撮影された画像データに対し、前記補正パラメータに基づいて自動補正を実行する請求項１記載のスタジオ撮影システム。
【請求項３】
前記画像データ取得手段が、前記デジタルカメラからＲＡＷデータ形式の画像データを取得する処理を行うと共に、前記判定処理手段は、このＲＡＷデータ形式の画像データに基づいて前記判定処理を行い、前記自動補正処理手段は、このＲＡＷデータ形式の画像データに対応した補正パラメータを設定し、
この補正パラメータが設定された後に、前記デジタルカメラで撮影されたＲＡＷデータ形式の画像データに対して前記補正パラメータに基づいて自動補正を実行し、この補正処理の後に、予め設定されたプリント装置でプリントが可能となる形式の画像データに変換する変換処理を行う請求項１又は２記載のスタジオ撮影システム。
【請求項４】
前記判定処理手段が、前記抽出処理手段によって抽出した参照領域のグレーの濃度値が、ハイライト側の閾値とシャドウ側の閾値との間にある場合に前記設定範囲にあると判定し、このグレーの濃度値が、前記ハイライト側の閾値からハイライト側に超えている場合、又は、前記シャドウ側の閾値からシャドウ側に超えている場合に前記不適正と判定する濃度判定処理と、
前記抽出処理によって抽出した参照領域のＲ・Ｇ・Ｂの３原色の輝度差の何れも設定値を超えていない場合に前記設定範囲にあると判定し、この輝度差の１つでも前記設定値を超える場合に前記不適正と判定するホワイトバランス判定処理との少なくとも一方を行うように構成されている請求項１〜３のいずれか１項に記載のスタジオ撮影システム。
【請求項５】
前記報知処理手段が、前記撮影により取得した画像データをディスプレイに表示すると共に、このディスプレイに表示された立体モデルにおける複数の参照領域のうち不適正であると判別したものと重複する位置、又は、近傍位置に前記不適正であると判定した理由をメッセージとして表示する請求項１〜４のいずれか１項に記載のスタジオ撮影システム。
【請求項６】
前記立体モデルの形状データと、この立体モデルの複数箇所に形成したグレーの参照領域を個々に特定する位置データとが前記画像処理部に記憶され、前記抽出処理手段は、前記デジタルカメラで撮影された画像データに含まれる立体モデルの形状と、前記形状データとのマッチングを行って画像データ中の立体モデルの位置を特定した後に、前記位置データから前記複数の参照領域を特定する処理を行う請求項１〜５のいずれか１項に記載のスタジオ撮影システム。
【請求項７】
前記立体モデルに、この立体モデルの前面側を前記デジタルカメラに向かわせるために、視覚的に方向を決める照準部が形成されている請求項１〜６のいずれか１項に記載のスタジオ撮影システム。
【請求項８】
照明された被写体をデジタルカメラで撮影し、このデジタルカメラで撮影された画像データから適正な照明環境を設定するための画像処理部において必要な設定情報を得るスタジオ撮影方法であって、
外面の複数箇所にグレーの参照領域が形成された立体モデルを前記被写体が配置されるべき位置に設置して前記デジタルカメラで撮影する撮影ステップと、
この撮影ステップで前記立体モデルを撮影した画像データを取得する画像データ取得ステップと、
この画像データ取得ステップで取得した画像データから前記参照領域の濃度データを抽出する抽出処理ステップと、
この抽出処理ステップによって抽出した前記参照領域の濃度データが設定範囲に含まれる場合に適正と判定し、これ以外を不適正と判定する判定処理ステップと、
この判定処理ステップで適正と判定した場合に、前記参照領域の濃度データに基づいて前記画像データの自動補正のための補正パラメータを求めて保存する補正パラメータ保存ステップと、
前記判定処理ステップで不適正と判定した場合に、不適正を解消する照明条件を出力する出力処理ステップとを、この順序で行うスタジオ撮影方法。
【発明の詳細な説明】
【技術分野】
【０００１】
本発明は、照明された被写体をデジタルカメラで撮影し、このデジタルカメラで撮影された画像データから適正な照明環境を設定するための設定情報を得る画像処理部を備えているスタジオ撮影システム及びスタジオ撮影方法に関する。
【背景技術】
【０００２】
上記のように構成された、スタジオ撮影システムと類似する技術として特許文献１及び特許文献２に記載されるものが存在する。
【０００３】
特許文献１では、スクリーンやパネルによって背景が形成され、この背景を照明する背景照明器を設置し、被写体の前方側に被写体を照明する被写体照明器を配置し、また、被写体を前方側から撮影する位置にデジタルカメラを配置してスタジオが構成され、このスタジオにおいて撮影を行うシステムが示されている。このシステムでは、デジタルカメラで撮影した画像に含まれる平面チャートや立体チャートの特徴点周辺の閉領域を抽出し、この閉領域について評価を行い、評価結果に基づく調整量の出力を行う画像処理部を備えており、この画像処理部で処理された画像を画像プリント部でプリントできる点も記載されている。
【０００４】
このシステムで撮影条件を調整する場合には、初期設定条件で照明された平面チャートをデジタルカメラで撮影し、この平面チャートの画像から中間グレーパッチの画像情報を取得し、その階調値が基準階調値となる明るさの調整量を算出する。調整量が所定基準値から外れているか否かを判定し、外れている場合には明るさ調整量が適切でないとして、照明条件を再設定する。また、調整量が所定基準から外れていない場合には、各パッチから画像情報を取得し、夫々の階調値が各基準階調値となるようにコントラストの調整量を算出する。このように算出したコントラストの調整量が適切でない場合には、前述と同様に照明条件を再調整し、適切である場合には次のステップに移行する。
【０００５】
次のステップでは、被写体の位置に立体チャートを設置してデジタルカメラで撮影を行い、この立体チャートの画像データから立体コントラスト情報を取得する。この状況においては、画像の明暗表現の程度は所定範囲内にあるので、このように取得した立体コントラスト情報は陰影の程度であると考えられ、この立体コントラスト情報についても、所定基準値から外れている場合には、照明条件を再設定し、適切である場合には、調整を終了することになる。
【０００６】
特許文献２では、撮影スタジオに３つの照明装置が配置され、標準被写体として白色の球体が設置され、この被写体を撮影するデジタルカメラと、この被写体の照明条件（光量）を測定する光量計とを備え、デジタルカメラで撮影された画像データと、光量計からの計測値を保存するパーソナルコンピュータを備えている。
【０００７】
照明を調節する際には、標準被写体の照明が最適となるように光量計で計測しながら人為的に調節してパーソナルコンピュータに保存し、次に、デジタルカメラで標準被写体を撮影し、このように撮影した画像データをモニタに表示に、モニタ画面上で複数箇所の基準点の色データを採取して保存する。この後、予め保存していた複数箇所の基準点の色データと、デジタルカメラで撮影した画像データから採取した複数箇所の基準点の色データとの差分量を算出し、演算を行うことによって、各照明装置の光量の変動値を算出し、この変動量が０となるように、各照明装置の光量を調節することになる。
【０００８】
【特許文献１】特開２００５−２２７５８１号公報  （段落番号〔００１８〕〜〔００６１〕、図１〜図３）
【特許文献２】特開２００６‐３２２９５号公報  （段落番号〔００１９〕〜〔００４８〕、図１〜図３）
【発明の開示】
【発明が解決しようとする課題】
【０００９】
スタジオでの人物の撮影を考えると、複数の照明器を用いるのが普通であり、照明の基本として顔の部位では不要な影を作らず、顔の正面から側面に亘って徐々に階調（濃度）を変化させて立体感を得るように照明することが一般的に行われている。
【００１０】
人物の照明では、背景を黒くして主として人物に照明を行うことや、この逆に背景を比較的明るくして、人物をシルエットに近くするように照明を行うことや、人物の側方から主として照明を行う等、照明に決まったルールはなく、撮影の目的に応じて効果的な照明が行われているのが現状である。また、照明器として従来からのタングステン光を用いるものに代えてタングステン光より色温度が高いストロボ光を用いることも多く行われている。
【００１１】
また、証明写真の撮影を行うチェーン店のように均一で高品質の証明写真を必要とする場合には、スタジオに同じ照明機器を備えていても照明器のセッティングが僅かに異なるだけで、異なる品質の画像のプリントに繋がることもある。この種の不都合は、テスト撮影を繰り返して行うことによって、ある程度は改善するものであるが、手間が掛かる点において改善の余地がある。
【００１２】
このような現状を考えると、照明の光源の種類、照明の形態に拘わらず適正な照明を行うことが肝要となる。特に、近年のデジタルカメラの性能の向上によって、スタジオでの撮影にも使用されつつあるものの、デジタルカメラはネガフィルムと比較してラチチュードが狭いものであり、一層適正な照明が求められている。
【００１３】
そこで、特許文献１、特許文献２の技術を用いることによって、適正な照明を行うことも考えられる。しかしながら、特許文献１では平面チャートを撮影した後に、立体チャートを撮影する必要があるため、手間と時間が掛かるものであり、また、特許文献２では、光量計を必要とするため照明を適正にセッティングするまでに手間と時間とが掛かるものであり改善の余地がある。
【００１４】
本発明の目的は、簡便な操作で、スタジオの照明を適正に設定して良好な画像の取得が可能なシステムを合理的に構成する点にある。
【課題を解決するための手段】
【００１５】
本発明の特徴は、照明された被写体をデジタルカメラで撮影し、このデジタルカメラで撮影された画像データから適正な照明環境を設定するための設定情報を得る画像処理部を備えているスタジオ撮影システムであって、
前記画像処理部は、外面の複数箇所にグレーの参照領域が形成された立体モデルを前記被写体が配置されるべき位置に設置して前記デジタルカメラで撮影した画像データを取得する画像データ取得手段と、この画像データ取得手段で取得した画像データから前記参照領域の濃度データを抽出する抽出処理手段と、この抽出処理手段によって抽出した前記参照領域の濃度データが設定範囲に含まれる場合に適正と判定し、これ以外を不適正と判定する判定処理手段と、この判定処理手段で適正と判定した場合に、前記参照領域の濃度データに基づいて前記画像データの自動補正のための補正パラメータを求めて保存する自動補正処理手段と、前記判定処理手段で不適正と判定した場合に、不適正であることを報知する報知処理手段とを備えている点にある。
【００１６】
この構成によると、スタジオにおいてデジタルカメラで撮影を行う際には、立体モデルを被写体の設置予定位置にセットし、照明を行った状態で、デジタルカメラで立体モデルの撮影を行うことになる。次に、画像処理部では、画像データ取得手段が、デジタルカメラで撮影された画像データを取得し、抽出処理手段が画像データから立体モデルの参照領域の濃度データを抽出し、判定処理手段が濃度データに基づいて判定を行う。この判定により適正である場合には、自動補正処理手段が濃度データに基づいて自動補正のための補正パラメータを設定して保存するので、これ以降に撮影された画像データについて、この補正パラメータに基づいて自動補正を行える。また、この判定が不適正ある場合には、報知処理手段が、不適正であることを報知するので、この報知に基づいて照明環境を適正にすることが可能となる。特に、本発明によると、照明器の光量や色温度が経年変化した場合でも、照明器の光源の種類に拘わらず判定が可能となる。その結果、簡便な操作で、スタジオの照明を適正に設定して良好な画像の取得が可能なシステムが合理的に構成された。
【００１７】
本発明は、前記自動補正処理手段が、前記抽出処理手段によって抽出した複数の参照領域のグレーの濃度に基づいて、濃度補正とコントラスト補正との少なくとも一方の補正を行うための前記補正パラメータを保存し、この補正パラメータが保存された後に、前記デジタルカメラで撮影された画像データに対し、前記補正パラメータに基づいて自動補正を実行しても良い。
【００１８】
この構成によると、自動補正処理手段は、抽出処理手段によって抽出した複数の参照領域のグレーの濃度に基づいて、濃度補正とコントラスト補正との少なくとも一方の補正を行うための補正パラメータを保存し、この後に、デジタルカメラで撮影された画像データに対して補正パラメータに基づいて自動補正を行うことにより、人為的な補正を行わずとも、スタジオの照明に適した補正を実現する。
【００１９】
本発明は、前記画像データ取得手段が、前記デジタルカメラからＲＡＷデータ形式の画像データを取得する処理を行うと共に、前記判定処理手段は、このＲＡＷデータ形式の画像データに基づいて前記判定処理を行い、前記自動補正処理手段は、このＲＡＷデータ形式の画像データに対応した補正パラメータを設定し、
この補正パラメータが設定された後に、前記デジタルカメラで撮影されたＲＡＷデータ形式の画像データに対して前記補正パラメータに基づいて自動補正を実行し、この補正処理の後に、予め設定されたプリント装置でプリントが可能となる形式の画像データに変換する変換処理を行っても良い。
【００２０】
デジタルカメラで撮影された画像データはＲ（赤）、Ｇ（緑）、Ｂ（青）とも８ビット階調で、ＪＰＥＧ形式（Joint Photographic Experts Groupが制定した形式）に圧縮して記憶媒体に保存されることが多く、この保存時にはデジタルカメラにおいて必要な補正処理が行われるため、このＪＰＥＧ形式に変換される際に必要とするデータが失われることになる。これに対して、撮影した画像データをＲ（赤）、Ｇ（緑）、Ｂ（青）について１２ビット以上の階調で、補正も圧縮（非可逆圧縮）も行わないＲＡＷデータ形式（ＴＩＦＦ（Tag Image File Format）のように可逆圧縮された形式のものでも良い）で保存可能なデジタルカメラも多く存在する。このようにＲＡＷデータ形式の画像データは階調が大きいため、画像データの状態を把握しやすく補正も制限されずに行えるものである。このような理由から、ＲＡＷデータ形式の画像データに基づいて判定処理を行うことにより精度の高い判定が可能となり、補正パラメータを設定する際にも精度の高い補正パラメータを設定することが可能となる。尚、プリント装置は８ビットの階調の画像データに基づいてプリント処理を行うものが殆どであり、ＲＡＷデータ形式の画像データについて補正パラメータに基づき自動補正を行った後、８ビット階調の画像データを生成することにより、一般的なプリンタでのプリント処理を可能にする。
【００２１】
本発明は、前記判定処理手段が、前記抽出処理手段によって抽出した参照領域のグレーの濃度値が、ハイライト側の閾値とシャドウ側の閾値との間にある場合に前記設定範囲にあると判定し、このグレーの濃度値が、前記ハイライト側の閾値からハイライト側に超えている場合、又は、前記シャドウ側の閾値からシャドウ側に超えている場合に前記不適正と判定する濃度判定処理と、
前記抽出処理手段によって抽出した参照領域のＲ・Ｇ・Ｂの３原色の輝度差の何れも設定値を超えていない場合に前記設定範囲にあると判定し、この輝度差の１つでも前記設定値を超える場合に前記不適正と判定するホワイトバランス判定処理との少なくとも一方を行うように構成しても良い。
【００２２】
この構成によると、ハイライト側の閾値又はシャドウ側の閾値に対して、参照領域の濃度値が超えている場合に、不適正と判定することにより、例えば、照明が強く当たり、白トビの領域が存在する画像データのように、階調の調整を行えないものを除外できる。又は、Ｒ・Ｇ・Ｂの３原色の輝度差の１つでも設定値を超えている画像のように、無彩色であるべき領域にバランスが大きく崩れることにより有彩色となる領域が存在する画像データのように、ホワイトバランスの補正を行い難いものを除外できる。
【００２３】
本発明は、前記報知処理手段が、前記撮影により取得した画像データをディスプレイに表示すると共に、このディスプレイに表示された立体モデルにおける複数の参照領域のうち不適正であると判別したものと重複する位置、又は、近傍位置に前記不適正であると判定した理由をメッセージとして表示しても良い。
【００２４】
この構成によると、不適正と判定された画像データをディスプレイに表示し、その画像データの立体モデルにおいて、不適正と判断された領域を視覚的に把握でき、しかも、不適正と判定した理由をメッセージから把握できるため、その領域に対する照明の光量を調節することや、照明の色温度を調節することにより、適正な画像データの撮影を容易に行える。
【００２５】
本発明は、前記立体モデルの形状データと、この立体モデルの複数箇所に形成したグレーの参照領域を個々に特定する位置データとが前記画像処理部に記憶され、前記抽出処理手段は、前記デジタルカメラで撮影された画像データに含まれる立体モデルの形状と、前記形状データとのマッチングを行って画像データ中の立体モデルの位置を特定した後に、前記位置データから複数の参照領域を特定する処理を行っても良い。
【００２６】
この構成によると、立体モデルとデジタルカメラとの距離を変化させた場合のように、画像データ中の立体モデルの大きさが一定でなくとも、自動的に立体モデルの位置を特定し、更に、画像データ中の位置データから複数の参照領域を識別することが可能となり、オペレータが人為的に参照領域を指定する手間を省けるものとなる。
【００２７】
本発明は、前記立体モデルに、この立体モデルの前面側を前記デジタルカメラに向かわせるために、視覚的に方向を決める照準部が形成してあっても良い。
【００２８】
この構成によると、立体モデルを被写体の位置にセットする際には、立体モデルに形成された照準部を用いて視覚的に、デジタルカメラに対する姿勢を設定することで、この立体モデルを容易に適正な姿勢にセットできる。
【００２９】
本発明の特徴は、照明された被写体をデジタルカメラで撮影し、このデジタルカメラで撮影された画像データから適正な照明環境を設定するための画像処理部において必要な設定情報を得るスタジオ撮影方法であって、
外面の複数箇所にグレーの参照領域が形成された立体モデルを前記被写体が配置されるべき位置に設置して前記デジタルカメラで撮影する撮影ステップと、
この撮影ステップで前記立体モデルを撮影した画像データを取得する画像データ取得ステップと、
この画像データ取得ステップで取得した画像データから前記参照領域の濃度データを抽出する抽出処理ステップと、
この抽出処理ステップによって抽出した前記参照領域の濃度データが設定範囲に含まれる場合に適正と判定し、これ以外を不適正と判定する判定処理ステップと、
この判定処理ステップで適正と判定した場合に、前記参照領域の濃度データに基づいて前記画像データの自動補正のための補正パラメータを求めて保存する補正パラメータ保存ステップと、
前記判定処理ステップで不適正と判定した場合に、不適正を解消する照明条件を出力する出力処理ステップとを、この順序で行っても良い。
【００３０】
この構成によると、スタジオにおいてデジタルカメラで撮影を行う際には、立体モデルを被写体の位置にセットし、照明を行った状態で、デジタルカメラで立体モデルの撮影を行い、次に、デジタルカメラで撮影された画像データを取得し、次に、画像データから立体モデルの参照領域の濃度データを抽出し、次に、濃度データに基づいて判定を行うことになる。この後、この判定により適正である場合には、濃度データに基づいて自動補正のための補正パラメータを設定して保存するので、これ以降に撮影された画像データについて、この補正パラメータに基づいて自動補正を行え、また、この判定が不適正ある場合には、不適正な状況を解消する照明条件を出力するので、この出力に基づいて照明の条件を適正にすることが可能となる。特に、本発明によると、照明器の光量や色温度が経年変化した場合でも、この照明器の光源の種類に拘わらず判定が可能となる。その結果、簡便な操作で、スタジオの照明を適正に設定して良好な画像の取得が可能な撮影方法が合理的に構成された。
【発明を実施するための最良の形態】
【００３１】
以下、本発明の実施形態を図面に基づいて説明する。
〔スタジオ〕
図１に示すように、背景と成すスクリーン１と、被写体を照明する複数の照明器２とを備えてスタジオセットが構成されると共に、デジタルカメラ３で撮影された画像データを取得して処理を行うコンピュータ４（画像処理部の一例）と、このコンピュータ４で処理される画像データや必要な情報を表示するディスプレイ５と、オペレータが情報を入力するキーボード６と、ポインティングデバイスとして機能するマウス７と、コンピュータ４で処理された画像データのプリントを行うプリント装置８とを備えてスタジオ撮影システムが構成されている。
【００３２】
前記スタジオセットは、照明器２として、電球を用いたタングステン光源やハロゲン光源、あるいは、ストロボを用いたストロボ光源等の何れであっても良い。前記デジタルカメラ３は、撮像レンズ３Ｌからの光線をボディ内部のＣＣＤ（ Charge Coupled Device）やＣＭＯＳ（Complementary Metal Oxide Semiconductor）型等の光電変換部に導き、シャッターの操作時に光電変換部の光電変換面に結像している画像を画像データとして出力する一般的な機能を有するものである。
【００３３】
このスタジオ撮影システムでは、前記デジタルカメラ３で撮影した画像データをコンピュータ４に伝送する通信ケーブルＣ１を備え、このコンピュータ４の情報をプリント装置８に伝送するプリントケーブルＣ２を備えている。画像処理部として機能するコンピュータ４は、後述する画像データの処理を行うソフトウエアと、プリント装置８の制御を行うソフトウエアがインストールされている。前記プリント装置８は、インクジェット型のものを想定しているが、昇華型のものであっても良く、また、銀塩式の印画紙に写真をプリントするものであっても良い。
【００３４】
このスタジオ撮影システムでは、前記通信ケーブルＣ１で画像データ取得手段Ｇを構成しているが、デジタルカメラ３で撮影した画像データをフラッシュメモリ等で成るメディアＭに保存した後、このメディアＭをコンピュータ４のメディアドライブ４Ｍにセットすることで画像データを取得するよう構成しても良く、この場合、コンピュータ４に備えられたメディアドライブ４Ｍが画像データ取得手段Ｇとなる。
【００３５】
前記画像データは、Ｒ（赤）、Ｇ（緑）、Ｂ（青）とも１２ビットの階調で（１２ビット以上の階調であることが理想である）、補正も圧縮（非可逆圧縮）も行わないＲＡＷデータ形式のものが使用されている。前記プリント装置８は、８ビットの階調の画像データのプリント処理が可能な性能のものが使用されている。尚、ＲＡＷデータ形式の画像データとして、ＴＩＦＦ（Tag Image File Format）のように可逆圧縮された形式のものを用いるものであっても良い。
【００３６】
このスタジオ撮影システムは、図１に示す如く、被写体の位置に立体モデルＡを設置し、この立体モデルＡを照明器２で照明し、この照明環境において、立体モデルＡをデジタルカメラ３で撮影し（撮影ステップ）、この撮影による画像データを取得し（画像データ取得ステップ）、この画像データから立体モデルＡの参照領域Ｓ（図２、図４を参照）の濃度データを抽出し（抽出ステップ）、このように抽出した濃度データの濃度に基づいて照明環境の適否をコンピュータ４で判定し（判定ステップ）、この判定結果が不適正である場合には、不適正である理由（設定情報の一例）等を前記ディスプレイ５に表示する（出力処理ステップ）ことにより、照明器２の位置や照明の角度等をオペレータが調節して適正となる照明環境の設定を迅速に行えるように構成されたものである。
【００３７】
また、前記判定結果が適正である場合には、自動補正のための補正パラメータを設定してコンピュータ４に保存する（補正パラメータ保存ステップ）処理が行われ、このように補正パラメータを保存した後には、立体モデルＡに代えて被写体を撮影して取得した画像データを、先に保存している補正パラメータに基づいて自動補正し、プリント装置８でのプリント処理を実現する（これらの処理については後述する）。
【００３８】
〔立体モデル〕
前記立体モデルＡは、図２（ａ）、（ｂ）、図３に示すように、人間の顔に近い形状を有すると共に、スタンドによって支持される構造を有している。この立体モデルＡは、顔部の正面側から後方に向けて列状に複数のグレーの参照領域Ｓを有する複数の参照ラインＡＳを形成しており、夫々の参照ラインＡＳには複数の参照領域Ｓの位置を特定するための枠Ｆを形成している。また、夫々の参照領域Ｓを識別するための識別情報Ｄをプリントしている。更に、別途印刷したカラーチャートＣＣを前面に貼り付け、更に、顔部の中央近くに照準器Ｂ（照準部の一例）を備えている。尚、この立体モデルは人間の顔に近い形状である必要はなく、異なる形状のものを複数準備しておき、被写体に近い形状のものを適宜使用しても良い。
【００３９】
前記複数の参照領域Ｓは、立体モデルＡの表面をグレーに塗装し、前記参照領域Ｓの部位だけに枠Ｆをプリントしたものを想定しているが、枠Ｆの内部だけグレーに塗装するものであっても良い。また、前記カラーチャートＣＣは、Ｒ（赤）、Ｇ（緑）、Ｂ（青）やＣ（シアン）、Ｍ（マゼンタ）、Ｙ（イエロー）等の色相で、設定された階調のものと、及び、グレーやホワイトで設定された階調のものとで構成された一般的なものである。
【００４０】
前記照準器Ｂは、この立体モデルＡの設置時に、正面をデジタルカメラ３の撮像レンズの方向に向かわせるために用いられる。この照準器Ｂは単純な筒状の構造を有しており、立体モデルＡを設置する際には、オペレータが立体モデルＡの背面から照準器Ｂの筒状の空間を覗き、この空間内からデジタルカメラ３の撮像レンズ３Ｌが見通せるように立体モデルＡの姿勢を設定することになる。尚、この照準器Ｂは高い精度を必要としないものであるが、対物レンズと、レチクルを有した接眼レンズとを組み合わせて設置精度を高めるように構成しても良い。
【００４１】
〔制御構成〕
図４には、主要部がコンピュータ４の内部に構築されたスタジオ撮影システムの制御系の概要を示している。つまり、この制御系は、画像データ取得手段Ｇで取得した画像データを保存するメモリ１１と、このメモリ１１からの情報を前記ディスプレイ５に出力するビデオ制御部１２（報知手段の一例）と、ディスプレイ５に表示された画面上のアイコンやボタン類等を前記キーボード６あるいはマウス７で操作することにより、必要な処理を実現するＧＵＩ部１３と、前記プリント装置８を制御するプリント制御部１４とを備えている。
【００４２】
この制御系には更に、前記ＧＵＩ部１３処理からの情報によって処理モードを選択する処理モード選択手段１６と、画像データに撮影された立体モデルＡの形状のマッチングを行う形状マッチング処理手段１７と、形状マッチング処理手段１７でマッチングした立体モデルＡの画像から参照領域を特定する参照領域特定手段１８と、特定された参照領域の濃度を抽出する抽出処理手段１９と、抽出処理手段１９で抽出された濃度の判定を行う判定処理手段２０と、画像データの自動的な補正を行う自動補正処理手段２１と、画像データのマニュアルによる補正を行うマニュアル補正・加工処理手段２２と、画像データのデータ形式をプリント装置８においてプリント可能な形式に変換するデータ形式変換手段２３と、データテーブル部２４とを備えている。
【００４３】
本発明では、前記処理モード選択手段１６、形状マッチング処理手段１７、参照領域特定手段１８、抽出処理手段１９、判定処理手段２０、自動補正処理手段２１、マニュアル補正・加工処理手段２２、データ形式変換手段２３をソフトウエアで構成することを想定しているが、これらをハードウエアで構成することや、ハードウエアとの組み合わせで構成するものであっても良い。
【００４４】
また、前記処理モード選択手段１６、形状マッチング処理手段１７、参照領域特定手段１８、抽出処理手段１９、判定処理手段２０、自動補正処理手段２１、マニュアル補正・加工処理手段２２、データ形式変換手段２３、及び、データテーブル部２４で照明セッティングモード実行部Ｘが構成され、自動補正処理手段２１、マニュアル補正・加工処理手段２２、データ形式変換手段２３でプリント処理モード実行部Ｙが構成されている。
【００４５】
〔設定手順〕
このスタジオ撮影システムにおいて照明器２による照明環境を適正にセットする際の設定手順の概要を図５に示している。つまり、図１に示すスタジオセットにおいて、最初に、立体モデルＡを被写体の位置に設置する。この設置時には前述した照準器Ｂを用いることで、この立体モデルＡの正面をデジタルカメラ３の撮像レンズ３Ｌに向かわせる（＃０１ステップ）。
【００４６】
次に、照明器２による照明環境をセットする。このようにセットを行う際には、画像データにおいて立体モデルＡのハイライト部が白トビすることや、シャドウ部が黒ツブレしなければ良く、照明の効果を考慮して照明器２の位置や、照明の角度を任意に設定することが可能であり、立体モデルＡとデジタルカメラ３との距離も任意に設定することも可能である（＃０２ステップ）。
【００４７】
次に、照明環境をセットする際には、コンピュータ４でのオペレータの操作に基づいて処理モード選択手段１６が照明セッティングモードを選択することにより処理が実行される。この後、オペレータがデジタルカメラ３で立体モデルＡを撮影し、このように撮影した画像データを通信ケーブルＣ１でコンピュータ４に伝送する。この画像データが伝送された場合には、コンピュータ４が画像データを取得し、照明セッティングモードでの処理を開始する。このコンピュータ４が取得した画像データは、前述したように１２ビット（１２ビット階調）のＲＡＷデータ形式のものである（＃０３、＃０４ステップ）。
【００４８】
次に、コンピュータ４は、取得した画像データをディスプレイ５に表示すると共に、コンピュータ４が参照領域Ｓの濃度データ取得処理を行い、判定処理を行う（＃０５〜＃０７ステップ・この濃度データ取得処理と判定処理との詳細は後述する）。
【００４９】
この判定処理（＃０７ステップ）の結果、不適正な参照領域Ｓが存在することが判定された場合には、コンピュータ４がディスプレイ５に先に表示されている立体モデルＡの画像に対して不適正な領域を示すと共に、不適正であることの理由と、適正とするための推奨案から成るメッセージとを表示する（＃０８、＃０９ステップ）。
【００５０】
参照領域Ｓが不適正と判定される理由としては、参照領域Ｓの白トビや黒ツブレのおそれ、あるいは、ホワイトバランスの崩れを挙げることが出来、このように不適正である場合には、メッセージの内容に従ってオペレータが照明器２の位置や照明の角度を調節や、色温度の調節（再設定）を行うことになり、この調節によって容易に適正な照明を得ることが可能になる。
【００５１】
また、前述したように照明を再設定した場合や、最初から適正な照明が行われた場合のように、判定処理において適正であることを判定した場合には、自動補正処理手段２１が自動補正のパラメータを求め、コンピュータ４のメモリ１１やハードディスク（図示せず）に保存し、照明が適正であることを示すメッセージをディスプレイ５に表示して処理を終了する（＃０８〜＃１１ステップ）。
【００５２】
この自動補正のパラメータとは、濃度データに基づいてコントラストを適正にするコントラスト補正のパラメータ、濃度を適正にする濃度補正のパラメータ、画像データにおける周辺光量を適正にするパラメータ、及び、光源の色温度のズレを吸収するための色補正のためのパラメータ（ホワイトバランスを適正にするパラメータ）等を含んでいる。更に、この自動補正パラメータを設定する際には前記カラーチャートＣＣに基づいてカラーバランスを適正にするための色補正のための補正パラメータが設定される。また、自動補正処理手段２１は、コントラスト補正と、濃度補正との一方だけの処理を行うものであっても良い。尚、＃０５〜＃１１ステップの処理が前記照明セッティングモードでの処理に対応する。
【００５３】
〔設定手順：濃度データ取得処理〕
前記濃度データ取得処理（＃０６ステップ）は、図７のようにサブルーチンとして構成されている。つまり、画像データを取得した後には、立体モデルＡの形状データがデータテーブル部２４にロードされ、形状マッチング処理手段１７において、データテーブル部２４からの形状データと、画像データに含まれる立体モデルＡの画像とのマッチング処理が行われる（＃１０１、＃１０２ステップ）。
【００５４】
この形状マッチング処理の結果、マッチしない場合には、コンピュータ４がマニュアルマッチングを促すメッセージをディスプレイ５に表示する（＃１０３、＃１０４ステップ）。マッチングしない理由として画像データ中の立体モデルの画像のサイズが小さい場合、画像データ全体の濃度が高過ぎる場合、画像データの濃度が低過ぎる場合、あるいは、ピントが正確でない場合等を挙げることが可能である。
【００５５】
このメッセージが表示された場合には、オペレータがディスプレイ５に表示された画像データの立体モデルＡの状態から、マニュアル（手動）でのマッチングが可能であるかを判断し、マニュアルでのマッチングが不能であると判断した場合には、オペレータが処理を中止することになる。この中止を行った場合には、確認のために処理を中止したことを示すメッセージがディスプレイ５に表示される。尚、このように中止した場合には、マッチングが可能な画像データを取得するように照明環境を変更する等の設定の後に、デジタルカメラ３で立体モデルＡを再度撮影することになる。
【００５６】
また、オペレータがマニュアルでのマッチングが可能であると判断した場合には、オペレータがマニュアルでのマッチングを行い、コンピュータ４がマッチングを確認できた場合にマッチングが終了する（＃１０５〜＃１０７ステップ）。
【００５７】
尚、マニュアルでのマッチングでは、立体モデルＡの輪郭を示す画像、あるいは、立体モデルをシルエット状に示す画像がディスプレイ５に表示され、キーボード６やマウス７の操作によって、この画像を移動することや、拡大・縮小することや、角度を調節することにより、ディスプレイ５に表示されている立体モデルＡの画像と重ね合わせる操作を行うことになる。この操作により前記形状マッチング処理手段１７がマッチングを確認した場合に、この処理を終了して次の処理に移行する。
【００５８】
次に、参照領域特定手段１８が撮像サイズを求め、この撮像サイズに基づいて複数の参照領域Ｓの位置を特定し、抽出処理手段１９が特定した複数の参照領域Ｓの濃度データを抽出する（＃１０８、＃１０９ステップ）。
【００５９】
この処理では、先にマッチングを行った結果、画像データにおける立体モデルＡの画像の位置が決定され、その結果、この画像データから複数の参照領域Ｓを取り囲む枠Ｆの位置が特定され、この枠Ｆの内部領域の画素の濃度データが抽出され、保存されるのである。尚、枠Ｆの内部領域の画素から濃度データを抽出する際の処理形態としては、複数の画素の濃度の平均値を求めることが考えられる。
【００６０】
〔設定手順：判定処理〕
前記判定処理（＃０７ステップ）は、図８のようにサブルーチンとして構成されている。つまり、濃度データ取得処理（＃０６ステップ）において複数の参照領域Ｓの濃度データを取得した後には、前記判定処理手段２０において、ハイライト側の閾値及びシャドウ側の閾値と各濃度データとを比較し（＃２０１ステップ）、各濃度データの１つでもハイライト側の閾値をハイライト側に超える場合、あるいは、各濃度データの１つでもシャドウ側の閾値をシャドウ側に超える場合には、閾値を超えた参照領域Ｓの位置データを取得し、照明の光量が不適正であることを示すメッセージをセットする（＃２０２〜＃２０４ステップ）。この＃２０１〜＃２０４ステップの処理が濃度判定処理である。
【００６１】
具体的には、図９に示すように、ディスプレイ５において立体モデルＡを表示する画面３０において、例えば、光量が過多の領域が存在する場合には、メッセージ領域３１において、その領域を特定する識別情報（同図ではＬＤ４）の光量が過多です、光量を低下して下さい、とのメッセージを表示する。つまり、このメッセージとして、光量が過多の場合（白トビのおそれを生ずる場合）には、光量が過多であるため光量を低減すべき旨のメッセージを表示し、これとは逆に、光量が不足する場合（黒ツブレのおそれを生ずる場合）には、光量が不足しているため光量を増大すべき旨のメッセージを表示するのである。
【００６２】
表示形態は、これに限るものではなく、照明器２の光量が不適正である場合には、ディスプレイ５に表示されている立体モデルＡの画像に対して、不適正な光量となる参照領域Ｓと重複する位置にメッセージを表示する、あるいは、参照領域Ｓを取り囲む位置にサークル状の指標等を表示し、その近傍位置にメッセージを表示することで参照領域Ｓを特定するものであっても良い。
【００６３】
このように照明器２の光量が不適正であることが判定された場合には、立体モデルＡと照明器２との距離を変更することや、照明角を変更することが考えられ、立体モデルＡの全体において光量の光量が不適正である場合には、デジタルカメラ３の絞りの値を変更することや、シャッター速度を変更することが不適正を解消するための手段として考えられる。
【００６４】
また、濃度データにハイライト側の閾値もシャドウ側の閾値も超えるものがない場合には、各濃度データのＲ（赤）、Ｇ（緑）、Ｂ（青）の３原色の輝度差と設定値とを比較し、この比較の結果、設定値を越えるものの数（参照領域Ｓの数）を取得する（＃２０２、＃２０５、＃２０６ステップ）。つまり、濃度データは各参照領域Ｓに含まれる画素は、Ｒ（赤）、Ｇ（緑）、Ｂ（青）の３原色で構成されるものであり、各参照領域Ｓがグレーであるため、理想的な照明が行われている場合にはＲ（赤）、Ｇ（緑）、Ｂ（青）の３原色の輝度値が等しくなり、一部の色温度が低い場合や、逆に色温度が高い場合には、３原色の輝度差を生ずるものであり、このように輝度差を生じている場合に、その輝度差が設定値を超えている参照領域Ｓの数を取得するのである。
【００６５】
次に、取得した数が設定数以上である場合には、前述のように輝度差が設定値を超えた領域を示しカラーバランスが崩れていることを示すメッセージをセットし、取得した数が設定数未満である場合には、適正であるメッセージをセットする（＃２０７〜＃２０９ステップ）。この＃２０２、＃２０５〜＃２０８ステップがホワイトバランス判定処理である。
【００６６】
つまり、照明器２のホワイトバランスが適正でない場合や、照明器２からの光線が着色された壁面や、着色された天井面に反射する結果、ホワイトバランスが崩れてしまった場合には、ホワイトバランスが崩れている参照領域Ｓと重複する位置に表示するためのメッセージをセットする、あるいは、参照領域Ｓを取り囲む位置にサークル状の指標等を表示し、その近傍位置に参照領域を特定するためのメッセージをセットする。また、このメッセージとしては、光線に多く含まれている光線の色相（例えば赤）を示し、その色相の光線を低減すべき旨の文言を含むものとなる。
【００６７】
このようにホワイトバランスが崩れていることが判定された場合には、壁面や天井面での反射を行なわず、反射板を用いることが不適正を解消する手段として考えられ、また、画像データの全体にカラーバランスが崩れている場合には、ＣＣフィルタを用いることが不適正を解消する手段として考えられる。
【００６８】
尚、本発明のスタジオ撮影システムでは、前記照明器２としてタングステン光源又はハロゲン光源と、ストロボ光源との何れの使用も可能であり、タングステン光源又はハロゲン光源を使用した場合と、ストロボ光源を使用した場合とにおいて３原色に輝度差が生じた場合でも、この程度の輝度差ではホワイトバランスが崩れているとは判定せず、この色温度の差を吸収するように前述した自動補正処理手段２１において補正パラメータを設定することになる。
【００６９】
〔プリント手順〕
このように照明が適正に設定された後にプリント処理を行う場合には、照明器２による照明環境を維持したまま、立体モデルの位置に被写体を配置してデジタルカメラ３で被写体の撮影を行い、画像データを通信ケーブルＣ１でコンピュータ４に伝送することになる。その手順を図６に示している。
【００７０】
つまり、プリント処理を行う際には、コンピュータ４でのオペレータの操作に基づいて処理モード選択手段１６がプリント処理モードでの処理を実行する。そして、コンピュータ４が画像データを取得した後には、この画像データを前記自動補正処理手段２１が前記補正パラメータに基づいて自動補正処理を実行する（＃２１〜＃２４ステップ）。このようにコンピュータ４が取得した画像データは、前述したように１２ビット（１２ビット階調）のＲＡＷデータ形式のものである。
【００７１】
この自動補正処理の後に、ディスプレイに表示された画像データをオペレータが判断してマニュアルでの補正処理が必要と判断した場合や、トリミングやテンプレートとの合成が必要である場合には、マニュアル補正・加工処理手段２２によってマニュアルによる補正及び加工が許容される（＃２５、＃２６ステップ）。
【００７２】
このように少なくとも自動補正処理が行われた画像データは、データ形式変換手段２３によってＲ（赤）、Ｇ（緑）、Ｂ（青）とも８ビットの階調となる画像データに変換され（プリント可能な形式の画像データに変換され）、プリント制御部１４を介してプリント装置８に伝送され、プリント処理が実現する。尚、＃２３〜＃２８ステップの処理がプリント処理モードでの処理に対応する。
【００７３】
このように本発明によると、スタジオで被写体を撮影する際には、その撮影に先立って被写体の位置に立体モデルＡを設置した状態で、照明器２での照明をセットしてデジタルカメラ３で撮影を行う。この撮影の後には、コンピュータ４において照明セッティングモードでの処理を実行することにより、コンピュータ４が画像データに撮影された立体モデルＡの画像に含まれる参照領域Ｓの濃度データを抽出し、この濃度データから照明が適正であるか不適正であるかが判定される。この判定の結果、照明環境が不適正であることを判定した場合には、判定に基づき、立体モデルＡにおける照明が不適正となる領域をディスプレイ５に表示すると同時に、適正とするためのメッセージが表示されるので、この表示に基づきオペレータが人為的な操作で照明器２の位置や光量等の調節を行うことで、容易に適正な照明環境をセットすることを可能にしている。
【００７４】
また、適正な照明を行う照明環境がセットされた場合には、自動補正のための補正パラメータを保存する処理が自動的に行われるので、適正な照明を行う照明環境がセットされたスタジオセットにおいて被写体の撮影を行える。そして、コンピュータ４においてプリント処理モードでの処理を実行することにより、コンピュータ４が画像データの自動補正を行うことで、照明に起因する補正を人為的に行わずとも適正なコントラストを得る処理、適正な濃度を得る処理等が自動的に行われ、必要な場合には更に、オペレータが補正を行うことや、トリミングやテンプレート等との合成等の加工を行うことも可能となる。これらの処理を終えた後には、ＲＡＷ形式の画像データをプリント装置８においてプリント処理が可能な形式の画像データに変換することにより一般的なプリント装置８でのプリントを行えるものにしている。
【００７５】
特に、立体モデルＡの参照領域Ｓの濃度データを抽出し、判定を行う場合には１２ビットのように階調を示すデータ量が多いＲＡＷ形式の画像データを用いるので、精度の高い判定を行えるものとなり、補正パラメータも階調に富んだ画像データに対して設定されるので、微妙な補正も実現するものとなる。
【００７６】
〔別実施形態〕
本発明は、上記した実施の形態以外に以下のように構成しても良い。
【００７７】
（ａ）図１０に示すように、立体モデルＡとして、下端に把手４１を備え、眼の部分に照準器Ｂとして孔部が形成されたものであっても良い。この立体モデルＡは、人物の顔を覆うように成形されたものであり、被写体となる人物が手で把手４１を握り、その人物の顔を覆う位置にセットする形態で使用することになり、その人物は眼の部分に形成された照準器Ｂ（照準部の一例）によってデジタルカメラ３の撮像レンズ３Ｌを視界に取り込むことによって、姿勢が決まるものとなる。特に、この立体モデルＡでは、被写体としての人物を撮影する状況において使用することにより、スタジオセットを最適な照明環境に設定することが可能となる。
【００７８】
（ｂ）立体モデルＡの外面の特定の位置を区画する形態となる参照領域を形成せず、立体モデルの外面全体をグレーに着色すると共に、この外面に多くの座標をコンピュータ４に保存しておきし、立体モデルＡの画像データの取得の後には、画像データと座標とに基づいて濃度データを抽出できるように処理形態を設定する。このように多くの座標を設定することにより、細やかな判定が可能となり、照明環境を一層適正にセットできるものとなる。
【００７９】
（ｃ）判定処理手段２０において、濃度判定処理又はホワイトバランス判定処理の一方だけを行うように処理形態を設定する。また、人為的に一方だけを選択できるように処理形態を設定しても良い。
【００８０】
（ｄ）立体モデルＡの外面に合焦用の指標類を形成し、コンピュータ４では合焦用の指標に基づいて合焦状態（ピントの状態）を判定し、不正確な合焦状態では濃度データの抽出を行わないように処理形態を設定する。このように処理形態を設定することにより、立体モデルＡの表面における濃度を適正に抽出して精度の高い判定を実現する。
【００８１】
（ｄ）デジタルカメラ３からの画像データを常にコンピュータ４に伝送することにより、所謂、ライブビューをディスプレイ５に表示できるように処理形態を設定する。このように処理形態を設定することにより、シャッターを操作する以前における照明環境をディスプレイ５で確認することが可能となる。
【図面の簡単な説明】
【００８２】
【図１】スタジオセットとスタジオ撮影システムとを示す斜視図
【図２】立体モデルの正面と側面とを示す図
【図３】参照領域の配列の展開図
【図４】制御系のブロック回路図
【図５】設定手順のフローチャート
【図６】プリント手順のフローチャート
【図７】濃度データ取得処理のフローチャート
【図８】判定処理のフローチャート
【図９】立体モデルとメッセージとが表示された画面を示す図
【図１０】別実施形態の立体モデルの正面と側面とを示す図
【符号の説明】
【００８３】
３            デジタルカメラ
４            画像処理部（コンピュータ）
１２          報知手段（ビデオ制御部）
１９          抽出処理手段
２０          判定処理手段
２１          自動補正処理手段
Ａ            立体モデル
Ｓ            参照領域
Ｇ            画像データ取得手段
【図１】
2008092354.tif 000003
【図２】
2008092354.tif 000004
【図３】
2008092354.tif 000005
【図４】
2008092354.tif 000006
【図５】
2008092354.tif 000007
【図６】
2008092354.tif 000008
【図７】
2008092354.tif 000009
【図８】
2008092354.tif 000010
【図９】
2008092354.tif 000011
【図１０】
2008092354.tif 000012